(57)【特許請求の範囲】
【請求項１】
それぞれの種類の遊技情報を出力する複数個の出力端子を備えた複数台の遊技台と、
前記遊技台の各出力端子と接続されて各出力端子からの遊技情報を取り込むことが可能な複数個の入力端子を備えるとともに、取り込んだ遊技情報を管理装置に送信する複数台の台ユニットと、
各台ユニットと接続される前記管理装置と、を備え、
各遊技台には台番号が割り付けられ、遊技台の各出力端子には出力端子番号が割り付けられ、
各台ユニットには台ユニット番号が割り付けられ、台ユニットの各入力端子には入力端子番号が割り付けられており、
各遊技台の複数個の出力端子の各々は、複数台の台ユニットにまたがる入力端子に接続可能であり、
前記管理装置は、前記台ユニットの入力端子と前記遊技台の出力端子との接続状態を示す接続テーブルを記憶し、前記接続テーブルを設定する設定手段を有しており、
前記接続テーブルには、台ユニット番号及び当該台ユニット番号の台ユニットの入力端子番号に対応させて、接続されている遊技台の台番号と当該台番号の遊技台の出力端子番号と当該出力端子番号に対応する遊技情報の種類が対応付けて登録されており、
各台ユニットは、自身に割り付けられている台ユニット番号と各入力端子番号と各入力端子番号の入力端子から取り込んだ遊技情報とを含む監視情報を前記管理装置に送信し、
前記管理装置は、各台ユニットから監視情報を受信し、受信した監視情報と、記憶している接続テーブルに基づいて、各遊技台の各出力端子から出力される各遊技情報を監視する、
遊技店における監視装置。
【請求項２】
請求項１に記載の遊技店における監視装置であって、
前記管理装置は、各台ユニットから受信した監視情報と、記憶している接続テーブルに基づいて、各遊技台の各出力端子から出力される各遊技情報を監視し、各遊技台に異常状態が発生しているか否かを判断する、
遊技店における監視装置。
【発明の詳細な説明】
【０００１】
【発明の属する技術分野】
本発明は、パチンコ店等の遊技店における監視装置に関する。
【０００２】
【従来の技術】
パチンコ店において、例えば、パチンコ台（遊技台）に異常が発生しているか否か、あるいは不正が行われているか否か等、すなわちパチンコ台に異常状態が発生しているか否かを判断する場合、各遊技台のアウト玉数（遊技台に投入されたパチンコ玉の数）、始動口入賞回数（大当りを判定する図柄を変動表示させるための特殊な口にパチンコ玉が入賞した回数）、セーフ玉数（遊技台に投入され、入賞口に入ったパチンコ玉の数）、大当り回数、パチンコ玉購入金額等の情報を取り込んで監視する必要がある。
従来の、パチンコ店における監視装置の概略構成図を図１に示す。図１において、パチンコ店内には、複数台のパチンコ台１０ａ〜１０ｄが島毎に設けられている。パチンコ台１０ａ〜１０ｄは、グループに分割され、各グループ毎に台ユニット２０ａ、２０ｂに接続されている。台ユニット２０ａ、２０ｂは、各入力端子に接続される遊技台の出力端子が予め定められている。例えば、台ユニット２０ａが１２ポートの入力端子を有し、１番〜３番の入力端子には１番の遊技台１０ａの１番〜３番の出力端子、４番〜６番の入力端子に２番の遊技台１０ｂの１番〜３番の出力端子、７番〜９番の入力端子には３番の遊技台１０ｃの１番〜３番の出力端子、１０番〜１２番の入力端子には４番の遊技台１０ｄの１番〜３番の出力端子が接続されように予め設定されている。この場合、台ユニット２０ａの１番〜１２番の入力端子と１番〜４番のパチンコ台１０ａ〜１０ｄの１番〜３番の出力端子との間に、接続線３０ａ〜３０ｌが配線される。他の台ユニットとパチンコ台との接続も同様に行われる。
各島には、島ユニット４０ａ、４０ｂが設けられている。台ユニット２０ａ、２０ｂは、自己が属する島ユニット４０ａ、４０ｂに、通信線、例えばＬＡＮ１０ａ、ＬＡＮ１０ｂを介して接続されている。
さらに、管理装置５０が設けられている。島ユニット４０ａ、４０ｂは、通信線、例えばＬＡＮ２０を介して管理装置５０に接続されている。
【０００３】
台ユニット２０ａ、２０ｂは、パチンコ台１０ａ〜１０ｄの出力端子から出力される情報（例えば、アウト玉数、セーフ玉数、大当り回数、始動口入賞回数等）に基づいて、各パチンコ台１０ａ〜１０ｄに異常状態が発生しているか否かを判断している。異常状態が発生しているか否かの判断は、例えば、各パチンコ台１０ａ〜１０ｄの１番〜３番の出力端子から出力される情報に基づいて行う。
各パチンコ台１０ａ〜１０ｄの１番の出力端子から出力される情報に基づいて異常状態が発生しているかを判断する場合もある。この場合には、前記した台ユニット２０ａを用いる場合には、台ユニット２０ａの１番の入力端子に１番のパチンコ台１０ａの１番の出力端子、４番の入力端子に２番のパチンコ台の１番の出力端子、７番の入力端子に３番のパチンコ台の１番の出力端子、１０番の入力端子に４番のパチンコ台の１番の出力端子が接続される。
台ユニット２０ａは、パチンコ台１０ａ〜１０ｄのいずれかに異常状態が発生していると判断した場合には、異常状態が発生しているパチンコ台の番号や異常状態の内容等を示す異常情報を島ユニット４０ａ、４０ｂを介して管理装置５０に送信する。管理装置は、台ユニット２０ａ、２０ｂから送信された異常情報を受信すと、異常状態の内容に応じて所定の処理を行う。
【０００４】
【発明が解決しようとする課題】
従来の台ユニットは、入力端子に接続されるパチンコ台の出力端子が予め定められている。このため、例えばパチンコ台から新しい情報を取り込む場合には、接続線の配線を変更する作業が必要となる。例えば、図１に示す配線状態で、さらにパチンコ台１０ａ〜１０ｄの４番目の出力端子から出力される情報を取り込む必要が生じた場合、図４に示すように接続線の配線を変更する必要がある。図４では、台ユニット２０ａとして、例えば、１２ポートの入力端子を有し、１番〜４番の入力端子に１番のパチンコ台の１番〜４番の出力端子、５番〜８番の入力端子に２番のパチンコ台１０ｂの１番〜４番の出力端子、９番〜１２番の入力端子に３番のパチンコ台１０ｃの１番〜４番の出力端子が接続される第ユニットを用いる。そして、台ユニット２０ａ、２０ｂの１番〜１２番の入力端子とパチンコ台１０ａ〜１０ｄの１番〜４番の出力端子との間に接続線を配線する。この場合、３０ａ〜３０ｉについては既存の接続線３０ａ〜３０ｉ用いることができるが、他の接続線３１ａ〜３１ｇは配線を変更する必要がある。
このような接続線の配線を変更する作業を軽減するには、台ユニット２０ａ、２０ｂとして、例えば１６ポートの入力端子を有する台ユニットを用い、各パチンコ台用の入力端子に空きを設けておく方法が考えられる。しかしながら、この方法では台ユニットの入力端子が無駄になる場合があり、装置全体の価格が高くなる。
本発明は、このような問題点を解決するために創案されたものであり、安価に、接続線の配線の変更作業を要することなく、遊技台等の監視情報の追加等に容易に対応することができる遊技店における監視装置を提供することを課題とする。
【０００５】
【課題を解決するための手段】
前記課題を解決するための本発明の第１発明は、請求項１に記載されたとおりの遊技店における監視装置である。
請求項１に記載された遊技店における監視装置は、それぞれの種類の遊技情報を出力する複数個の出力端子を備えた複数台の遊技台と、前記遊技台の各出力端子と接続されて各出力端子からの遊技情報を取り込むことが可能な複数個の入力端子を備えるとともに、取り込んだ遊技情報を管理装置に送信する複数台の台ユニットと、各台ユニットと接続される前記管理装置と、を備え、各遊技台には台番号が割り付けられ、遊技台の各出力端子には出力端子番号が割り付けられ、各台ユニットには台ユニット番号が割り付けられ、台ユニットの各入力端子には入力端子番号が割り付けられており、各遊技台の複数個の出力端子の各々は、複数台の台ユニットにまたがる入力端子に接続可能である。
前記管理装置は、前記台ユニットの入力端子と前記遊技台の出力端子との接続状態を示す接続テーブルを記憶し、前記接続テーブルを設定する設定手段を有しており、前記接続テーブルには、台ユニット番号及び当該台ユニット番号の台ユニットの入力端子番号に対応させて、接続されている遊技台の台番号と当該台番号の遊技台の出力端子番号と当該出力端子番号に対応する遊技情報の種類が対応付けて登録されている。
そして、各台ユニットは、自身に割り付けられている台ユニット番号と各入力端子番号と各入力端子番号の入力端子から取り込んだ遊技情報とを含む監視情報を前記管理装置に送信し、前記管理装置は、各台ユニットから監視情報を受信し、受信した監視情報と、記憶している接続テーブルに基づいて、各遊技台の各出力端子から出力される各遊技情報を監視する。
このように、台ユニットの入力端子と遊技台の接続状態を示す接続テーブルを有し、且つ接続テーブルの設定が可能であるため、台ユニットの入力端子に対して遊技台の出力端子を自由に接続することができる。したがって、安価に、接続線の配線の変更作業を要することなく、遊技台等の監視情報の追加等に容易に対応することができる。
なお、請求項１に記載の、台ユニットに接続される「遊技台」には、遊技台自体の他、所定の情報を出力する装置、例えば玉貸機、景品交換端末等も含まれる。必要があれば、「遊技台」は、「情報出力装置」と置き換えることができる。
また、本発明の第２発明は、請求項２に記載されたとおりの遊技店における情報監視装置である。
請求項２に記載の遊技店における監視装置は、請求項１に記載の遊技店における監視装置であって、前記管理装置は、各台ユニットから受信した監視情報と、記憶している接続テーブルに基づいて、各遊技台の各出力端子から出力される各遊技情報を監視し、各遊技台に異常状態が発生しているか否かを判断する。
これにより、各遊技台に異常状態が発生しているか否かの判断の変更に対して、容易に対応することができる。
【０００６】
【発明の実施の形態】
以下に、本発明の実施の形態を図面を用いて説明する。
図１は、本発明の遊技店における監視装置の一実施の形態を示す図である。本実施の形態は、本発明をパチンコ店に適用したものである。
本実施の形態は、従来の遊技店における監視装置と同様に、パチンコ台１０ａ〜１０ｄ、台ユニット２０ａ、２０ｂ、島ユニット４０ａ、４０ｂ、管理装置５０により構成されているものとする。
すなわち、パチンコ店内の各島毎に設けられた複数台のパチンコ台１０ａ〜１０ｄは、グループに分割され、各グループ毎に台ユニット２０ａ、２０ｂに接続されている。台ユニット２０ａ、２０ｂは、通信線、例えばＬＡＮ１０ａ、ＬＡＮ１０ｂを介して自己が属する島ユニット４０ａ、４０ｂに接続されている。また、島ユニット４０ａ、４０ｂは、通信線、例えばＬＡＮ２０を介して管理装置５０に接続されている。なお、各回路を無線回線で接続してもよい。
【０００７】
本実施の形態では、台ユニット２０ａ、２０ｂとして、台ユニットの入力端子にパチンコ台１０ａ〜１０ｄの出力端子を自由に接続することができる台ユニットを用いている点が従来の遊技店における監視装置と異なっている。
本実施の形態では、台ユニット２０ａとして１２ポートの入力端子を有する第ユニットを用い、台ユニット２０ａの１番〜３番の入力端子に１番のパチンコ台１０ａの１番〜３番の出力端子、４番〜６番の入力端子に２番のパチンコ台１０ｂの１番〜３番の出力端子、７番〜９番の入力端子に３番のパチンコ台の１番〜３番の出力端子、１０番〜１２番の入力端子に４番のパチンコ台の１番〜３番の出力端子が接続されている場合について説明する。この場合、台ユニット２０ａの１番〜１２番の入力端子と１番〜４番のパチンコ台１０ａ〜１０ｄの１番〜３番の出力端子との間には、接続線３０ａ〜３０ｌが配線される。
【０００８】
また、管理装置５０は、台ユニット２０ａ、２０ｂの入力端子とパチンコ台１０ａ〜１０ｄの出力端子との接続状態を示す接続テーブルを記憶している。接続テーブルは、管理装置５０内の記憶手段に記憶させてもよいし、離れた場所に設けられている記憶手段に記憶させてもよい。
台ユニット２０ａ、２０ｂとパチンコ台１０ａ〜１０ｄが前記したように接続されている場合、接続テーブルは、例えば図２に示すように作成される。図２に示す接続テーブルには、台ユニットの番号（台ユニットＮｏ．）、台ユニットの入力端子の番号（入力端子Ｎｏ．）、入力端子に接続されているパチンコ台の番号（台番号）、そのパチンコ台の出力端子の番号（入力番号）、そのパチンコ台の出力端子から出力される情報の種類（情報名）が記憶される。図２に示す接続テーブルは、例えば、１番の台ユニット２０ａの１番の入力端子には１番のパチンコ台１０ａの１番の出力端子（アウト数）が接続され、１番の台ユニット２０ａの２番の入力端子には１番のパチンコ台１０ａの２番の出力端子（大当り回数）が接続されていることを示している。
【０００９】
接続テーブルの設定（新規作成、変更、追加等）は、管理装置に設けられているキーボード、タッチ式の表示手段等の入力手段によって行うことができる。
例えば、表示手段にメニュー画面が表示されている状態で、「接続テーブルの設定」を選択すると、表示手段に図２に示す接続テーブルが表示される。係員は、表示手段に表示されている接続テーブルに順次必要な情報を入力することにより接続テーブルが設定される。接続テーブルに設定されている情報を変更あるいは追加する場合も同様にして行うことができる。接続テーブルに設定されている情報を変更、追加する操作も、本発明の「接続テーブルを設定する」という概念に含まれる。
なお、入力手段や接続テーブルの設定プログラム等が、本発明の「設定手段」に対応する。
【００１０】
管理装置５０は、所定のパチンコ台の所定の情報を監視する場合には、所定のパチンコ台の所定の情報を出力する出力端子がどの台ユニットのどの入力端子に接続されているかを接続テーブルに基づいて判別する。そして、所定のパチンコ台の所定の情報を出力する出力端子が接続されている台ユニットの番号及びその入力端子の番号を判別したら、島ユニット４０ａ、４０ｂを介してその台ユニットに、入力端子番号を含む情報送信指令信号を送信する。
台ユニット２０ａ、２０ｂは、管理装置から情報送信指令信号を受信すると、情報送信指令信号に含まれている入力端子番号に対応する入力端子に入力される情報を島ユニット４０ａ、４０ｂを介して管理装置５０に送信する。
管理装置５０は、台ユニット２０ａ、２０ｂから送信される所定のパチンコ台の所定の情報に基づいて処理を行う。例えば、パチンコ台１０ａ〜１０ｄの１番の出力端子から出力されるアウト数、２番の出力端子から出力される大当たり数、３番の出力端子から出力される始動口入賞回数に基づいて各パチンコ台に異常状態（不正行為等）が発生しているか否かを判断する。パチンコ台１０ａ〜１０ｄのいずれかに異常状態が発生していると判断した場合には、異常状態の内容に応じた処理を実行する。
【００１１】
次に、このように構成されている状態において、新しい情報を取り込む必要が発生した場合について説明する。例えば、異常状態が発生しているか否かを判断する方法（異常状態判断方法）として、パチンコ台１０ａ〜１０ｄの１番の出力端子から出力される情報（アウト玉数）と４番の出力端子から出力される情報（セーフ玉数）に基づいて判断する方法が考えられたものとする。
ここで、図１に示す接続状態ではパチンコ台１０ａ〜１０ｄの４番の出力端子は台ユニット２０ａ、２０ｂのいずれにも接続されていないため、管理装置５０はパチンコ台１０ａ〜１０ｄの４番の出力端子から出力される情報（セーフ玉数）を取り込むことができない。
そこで、新しい台ユニット６０ａを設ける。台ユニット６０ａとしては、例えば１２ポートの入力端子を有する台ユニットを用いる。そして、台ユニット６０ａの入力端子とパチンコ台１０ａ〜１０ｄの４番目の出力端子との間に接続線７０ａ〜７０ｄを配線する。
例えば、台ユニット６０ａの１番の入力端子に１番のパチンコ台１０ａの４番の出力端子、２番の入力端子に２番のパチンコ台１０ｂの４番の出力端子、３番の入力端子に３番のパチンコ台１０ｃの４番の出力端子、４番の入力端子に４番のパチンコ台１０ｄの４番の出力端子を接続する。
また、台ユニット６０ａをＬＡＮ１０ａに接続する。これにより、台ユニット６０ａは、パチンコ台１０ａ〜１０ｄの４番目の出力端子から出力される情報（セーフ玉数）を管理装置５０に送信可能となる。
【００１２】
そして、管理装置５０の入力手段を用いて、接続テーブルに台ユニット６０ａの入力端子とパチンコ台１０ａ〜１０ｄの出力端子との接続状態を設定する。台ユニット６０ａに関する接続テーブルの設定状態を図３に示す。図３では、６０番の台ユニット６０ａの１番の入力端子に１番のパチンコ台３０ａの４番の出力端子（セーフ玉数）、２番の入力端子に２番のパチンコ台３０ｂの４番の出力端子（セーフ玉数）、３番の入力端子に３番のパチンコ台３０ｃの４番の出力端子（セーフ玉数）、４番の入力端子に４番のパチンコ台３０ｄの出力端子（セーフ玉数）が接続されていることを示している。
【００１３】
管理装置５０は、前記と同様に、所定のパチンコ台の所定の情報を監視する場合には、所定のパチンコ台の所定の情報を出力する出力端子がどの台ユニットのどの入力端子に接続されているかを接続テーブルに基づいて判別する。そして、所定のパチンコ台の所定の情報を出力する出力端子が接続されている台ユニットの番号及びその入力端子の番号を判別したら、その台ユニットに、入力端子番号を含む情報送信指令信号を送信する。
この場合、例えば、台ユニット２０ａに入力端子１に入力される情報（１番のパチンコ台１０ａの１番の出力端子から出力されるアウト玉数）、入力端子４に入力される情報（２番のパチンコ台１０ｂの１番の出力端子から出力されるアウト玉数）、７番の入力端子に入力される情報（３番のパチンコ台１０ｃの１番の出力端子から出力されアウト玉数）、１０番の入力端子に入力される４番のパチンコ台１０ｄの１番の出力端子から出力されるアウト玉数）を送信させる情報送信指令信号を送信する。また、台ユニット６０ａに入力端子１に入力される情報（１番のパチンコ台の４番の出力端子から出力されるセーフ玉数）、２番の入力端子に入力される情報（２番のパチンコ台１０ｂの４番の出力端子から出力されるセーフ玉数）、３番の入力端子に入力される情報（３番のパチンコ台１０ｃの４番の出力端子から出力されるセーフ玉数）、４番のい入力端子に入力される情報（４番のパチンコ台１０ｄの４番の出力端子から出力されるセーフ玉数）を送信させる情報送信指令信号を送信する。
そして、管理装置５０は、台ユニット２０ａ、６０ａから送信される所定のパチンコ台の所定の情報に基づいて処理を行う。例えば、パチンコ台１０ａ〜１０ｄの１番の出力端子から出力されるアウト数と４番の出力端子から出力されるセーフ玉数に基づいて各パチンコ台に異常状態が発生しているか否かを判断する。パチンコ台１０ａ〜１０ｄのいずれかに異常状態が発生していると判断した場合には、異常状態の内容に応じた処理を実行する。
【００１４】
以上のように、本実施の形態では、台ユニットの入力端子と遊技台の出力端子との接続状態を示す接続テーブルを有し、且つ接続テーブルを設定することができるため、台ユニットの入力端子に遊技台の出力端子を自由に接続することができる。このため、台ユニットの入力端子を効率よく用いることができる。
また、新しい監視情報を追加する場合には、新しい台ユニットを追加し、追加した台ユニットの入力端子と遊技台の出力端子との間に接続線を配線するだけでよいため、既存の接続線の配線を変更する必要がない。このため、監視情報の追加に伴う作業が容易である。
また、接続テーブルに基づいて所定の遊技台の所定の情報が入力される台ユニットの入力端子を判別することができるため、台ユニットの入力端子に接続されている情報を処理する方法を変更する場合でも容易に対応することができる。
【００１５】
以上の実施の形態では、パチンコ台のアウト玉数、大当り回数、始動口入賞回数やセーフ玉数を監視する場合について説明したが、監視する情報はこれに限定されない。
また、パチンコ台のアウト数、大当り回数、始動口入賞回数やセーフ玉数に基づいて各パチンコ台に異常状態が発生しているか否かを判断したが、異常状態判断方法はこれに限定されず種々の方法を用いることができる。
また、パチンコ台の情報を監視する場合について説明したが、監視する情報はパチンコ台の情報に限定されず、玉貸機や景品交換装置等種々の装置から出力される情報を監視することができる。
また、パチンコ台に異常状態が発生しているか否かを判断する場合について説明したが、監視する情報に基づいて行う処理内容は種々変更可能である。
また、島ユニットを用いたが、島ユニットは省略してもよい。
また、管理装置と台ユニットを別々に設けたが、台ユニットと管理装置を兼用させてもよい。この場合には、管理装置となる台ユニットに、接続テーブルを設定する設定手段を設ける。
また、パチンコ店における監視装置について説明したが、本発明は、パチンコ店以外の種々の遊技店における監視装置として用いることができる。
【００１６】
【発明の効果】
以上説明したように、請求項１に記載された遊技店における監視装置を用いれば、安価に、接続線の配線の変更作業を要することなく、遊技台等の監視情報の追加等に容易に対応することができる。
また、請求項２に記載の遊技店における監視装置を用いれば、各遊技台に異常状態が発生しているか否かの判断の変更に対して、容易に対応することができる。
【図面の簡単な説明】
【図１】本発明の一実施の形態の構成図である。
【図２】接続テーブルの設定状態を示す図である。
【図３】接続テーブルの設定状態を示す図である。
【図４】本発明の一実施の形態における監視情報を追加する場合の構成図である。
【図５】従来技術における監視情報を追加する場合の構成図である。
【符号の説明】
１０ａ〜１０ｄ  遊技台（パチンコ台）
２０ａ、２０ｂ、６０ａ  台ユニット
４０ａ、４０ｂ  島ユニット
５０  管理装置
【図１】
0004617450.tif 000002
【図２】
0004617450.tif 000003
【図３】
0004617450.tif 000004
【図４】
0004617450.tif 000005
【図５】
0004617450.tif 000006